(57)【要約】【課題】  画像を表示する画像表示装置に関し、画像を視認し易い状態に保つ。【解決手段】  画像を表示する画像表示装置において、表示された画像の視認を受ける視認窓１１１Ｂが形成された筐体１１Ｂと、その視認窓１１１Ｂの最外面に位置し筐体１１Ｂとともにこの画像表示装置１０Ｂの外形を形成する窓部材１２Ｂと、ファン１３Ｂと、そのファン１３Ｂからの送風を窓部材１２Ｂの外面に沿って流れる空気流に変換するダクト１８Ｂとを有する。【選択図】        図５
2012123162.tif 000002
【特許請求の範囲】
【請求項１】
画像を表示する画像表示装置において、
表示された画像の視認を受ける視認窓が形成された筐体と、
前記視認窓の最外面に位置し前記筐体とともに当該画像表示装置の外形を形成する窓部材と、
ファンと、
前記ファンからの送風を前記窓部材外面に沿って流れる空気流に変換するダクトとを有することを特徴とする画像表示装置。
【請求項２】
当該画像表示装置が発熱電子部品を搭載し、前記ファンが、該発熱電子部品冷却用のファンであることを特徴とする請求項１記載の画像表示装置。
【請求項３】
前記ファンが、前記筐体内の、前記窓部材の背面側に搭載されたものであって、
前記ダクトが、前記ファンからの送風を前記窓部材の縁を迂回させて該窓部材外面に沿って流出させるものであることを特徴とする請求項１又は２記載の画像表示装置。
【請求項４】
前記ファンは、動作のオンオフ又は送風量の変更が自在なファンであって、
前記窓部材前面の埃を検出するセンサと、
前記センサにより閾値を超える埃が検出されたことを受けて、前記ファンを作動させ又は前記ファンの送風量を上げる第１のファン制御部とをさらに有することを特徴とする請求項１から３のうちいずれか１項記載の画像表示装置。
【請求項５】
前記ファンは、動作のオンオフ又は送風量の変更が自在なファンであって、
時間を繰り返し計測するタイマと、
前記タイマがタイムアップしたことを受けて、前記ファンを作動させ、又は、前記ファンの送風量を上げる第２のファン制御部とをさらに有することを特徴とする請求項１から３のうちいずれか１項記載の画像表示装置。
【発明の詳細な説明】
【技術分野】
【０００１】
本件は、画像を表示する画像表示装置に関する。
【背景技術】
【０００２】
パーソナルコンピュータやテレビ受像機など広範な機器に、画像を表示する画像表示装置が搭載され、あるいは併設されている。
【０００３】
画像表示装置では、画像視認用の視認窓の最外面に位置する窓部材の外面に埃が付着し易く、埃が付着すると画像が見づらくなってしまうおそれがある。ここで、この最外面に位置する窓部材とは、例えば表示画面が外面に剥き出しの場合は、その表示画面、あるいは、その視認窓に保護ガラス等が嵌っているときはその保護ガラス等をいう。
【０００４】
従来、筐体内部に空気を送り込む空気取入口にフィルタを備えて筐体内部に塵埃が入り込みにくくする構造が提案されている。
【０００５】
また、従来、プラズマディスプレイパネル表示面とその前面に配置された光学フィルタとの間の隙間に塵埃が入り込まないようにその隙間の周囲を防塵フィルタで塞ぐことが提案されている。
【０００６】
さらに従来、一端側に設けられた吸気口から取り込んだ外気を他端側から排出しＵターンダクトで方向を変え、再度機器内に空気を送り込んだ後排気ダクトを通じて排気口から外部へと排気する空気流路構造が提案されている。
【０００７】
しかしながら、これらの提案はいずれも装置内部の塵埃対策であり、装置の外面に付着する埃については考慮されていない。
【先行技術文献】
【特許文献】
【０００８】
【特許文献１】特開２００７−２７１８４１号公報
【特許文献２】特開２００６−３３０１９６号公報
【特許文献３】特開２００３−２２８２６０号公報
【発明の概要】
【発明が解決しようとする課題】
【０００９】
本件開示の画像表示装置の課題は、画像を視認し易い状態に保つことにある。
【課題を解決するための手段】
【００１０】
本件開示の画像表示装置は、筐体と、窓部材と、ファンと、ダクトとを有する。
【００１１】
筐体は、表示された画像の視認を受ける視認窓が形成された筐体である。
【００１２】
また、窓部材は、視認窓の最外面に位置し筐体とともにこの画像表示装置の外形を区画する部材である。
【００１３】
また、ダクトは、ファンからの送風を窓部材外面に沿って流れる空気流に変換するダクトである。
【発明の効果】
【００１４】
本件開示の画像表示装置によれば、窓部材外面に沿う空気流が形成され、窓部材外面への埃の付着が抑制され、また付着した埃の除去が促進され、視認性の良好な画像表示装置が実現する。
【図面の簡単な説明】
【００１５】
【図１】比較例の画像表示装置の正面図である。
【図２】比較例の画像表示装置の背面図である。
【図３】比較例の画像表示装置の背面側から内部を示した図である。
【図４】第１実施形態の画像表示装置の正面図である。
【図５】第１実施形態の画像表示装置を側方から見て内部を透視したときの主要部品の配置状態を示した図である。
【図６】第１実施形態の画像表示装置の、背面パネルとダクトを取り外して背面側から内部を示した図である。
【図７】第１実施形態の画像表示装置の、コンピュータとしてのハードウェア構成の概要を示す図である。
【図８】第１実施形態の画像表示装置で採用されているダクトの模式図である。
【図９】第１実施形態の画像表示装置で実施される、表示画面前面の埃除去処理を示すフローチャートである。
【図１０】第２実施形態の画像表示装置の正面図である。
【図１１】第２実施形態の画像表示装置を側方から見て内部を透視したときの主要部品の配置状態を示した図である。
【図１２】第２実施形態の画像表示装置の、背面パネルとダクトを取り外して背面側から内部を示した図である。
【図１３】第２実施形態の画像表示装置で実施される、表示画面前面の埃除去処理を示すフローチャートである。
【図１４】第３実施形態の画像表示装置の正面図である。
【図１５】第３実施形態の画像表示装置を上方から見て内部を透視したときの主要部品の配置状態を示した図である。
【図１６】第３実施形態の画像表示装置の、背面パネルとダクトを取り外して背面側から内部を示した図である。
【図１７】第３実施形態の画像表示装置で実施される、表示画面前面の埃除去処理を示すフローチャートである。
【発明を実施するための形態】
【００１６】
以下、実施形態の説明に先立って先ず比較例について説明し、次いでいくつかの実施形態を説明する。
【００１７】
図１〜図３は、比較例の画像表示装置の、それぞれ正面図、背面図、および背面を覆う背面パネルを取り外して背面側から内部を示した図である。
【００１８】
この画像表示装置１０Ａは、視認窓１１１Ａを有する筐体１１Ａと、その視認窓１１１Ａから外部に露出する表示画面１２Ａを有する。また、筐体１１Ａはその背面下部に吸気口１１２Ａ、背面上部に排気口１１３Ａを有する。また、この画像表示装置１０Ａは、図３に示すように、筐体１１Ａ内であって、かつ表示画面１２Ａの背面側に、各種の電子部品を搭載している。この画像表示装置１０Ａは、これらの電子部品により、各種の演算処理を実行するコンピュータとしての機能を備えている。
【００１９】
これらの電子部品の中には、動作により発熱する発熱電子部品が存在し、この画像表示装置１０Ａは、表示画面１２Ａの背面側に、その発熱電子部品の冷却や筐体内全体の冷却のためのファン１３Ａ，１４Ａも搭載している。これらのファン１３Ａ，１４Ａが作動すると、図２に示す吸気口１１２Ａから空気が筐体１１Ａ内に吸い込まれ、筐体１１Ａの内部の電子部品の発熱により熱せられた空気が排気口１１３Ａから外部に排気される。また、この画像表示装置１０Ａは、支持部材１５Ａにより、表示画面１２Ａが立設し筐体１１Ａの全体が少し持ち上げられた状態に支持されている。
【００２０】
この比較例の画像表示装置１０Ａの場合、表示画面１２Ａが外部に直接に露出しているが、この表示画面１２Ａの表面への埃の付着や除去に対する対策は何も採られていない。
【００２１】
図４は、第１実施形態の画像表示装置の正面図である。また図５は、図４と同じ第１実施形態の画像表示装置を側方から見て内部を透視したときの主要部品の配置状態を示した図である。図６は、第１実施形態の画像表示装置の、背面パネルとダクトを取り外して背面側から内部を示した図である。
【００２２】
これらの図４〜図６に示す画像表示装置１０Ｂは、図１〜図３に示す比較例の画像表示装置１０Ａと同様、表示された画像の視認を受ける視認窓１１１Ｂが形成された筐体１１Ｂを有する。また、この画像表示装置１０Ｂは、視認窓１１１Ｂの最外面に位置する表示画面１２Ｂを有する。すなわちこの表示画面１２Ｂは、筐体１１Ｂとともにこの画像表示装置１０Ｂの外形を形成している。この画像表示装置１０Ｂは、支持部材１５Ｂにより、表示画面１２Ｂが立設し筐体１１Ｂの全体が少し持ち上げられた状態に支持されている。さらに、この画像表示装置１０Ｂは、表示画面１２Ｂの上辺左右の角部にカメラ１５Ｂを有する。これらのカメラ１５Ｂは、表示画面１２Ｂを、タッチパネルとして使用するためのものである。すなわち、これらのカメラ１５Ｂによる撮影画像を分析して、その表示画面１２Ｂを指などでタッチしたときのタッチ箇所を検出するためのカメラとして用いられる。
【００２３】
本実施形態では、これらのカメラ１５Ｂは、表示画面１２Ｂの外面に付着する埃の付着量検出用のセンサとしても用いられる。
【００２４】
この画像表示装置１０Ｂは、図１〜図３に示す比較例の画像表示装置１０Ａと同様、表示画面１２Ｂの背面側に各種の電子部品が搭載されており、コンピュータとしての機能を有する。
【００２５】
ここで、図４〜図６に示す第１実施形態の画像表示装置１０Ｂの構造に関する説明を一旦中断し、この第１実施形態の画像表示装置１０Ｂのコンピュータとしてのハードウェア構成について説明しておく。
【００２６】
図７は、第１実施形態の画像表示装置の、コンピュータとしてのハードウェア構成の概要を示す図である。
【００２７】
ここには、ＣＰＵ（Ｃｅｎｔｒａｌ  Ｐｒｏｃｅｓｓｉｎｇ  Ｕｎｉｔ)９１１、メモリ９１２、ＨＤＤ（Ｈａｒｄｄｉｓｃ  Ｄｒｉｖｅ）９１３、およびディスプレイ９１４が示されている。また、この図７にはさらに、カメラ１５Ｂが接続された位置検出＆埃検出回路９１５、ＴＶ受像回路９１６、スピーカ９１７、デバイスインタフェース９１８、および通信インタフェース９１９が示されている。これらの各要素９１１〜９１９は、バス９１０を介して互いに接続されている。
【００２８】
ＣＰＵ９１１は、プログラムを実行する中央演算装置である。
【００２９】
メモリ９１２は、プログラムがＣＰＵ９１１での実行のために展開されるメモリである。このメモリ９１２は、ＣＰＵ９１１で実行されるプログラムの作業エリアとしても利用される。
【００３０】
ＨＤＤ９１３は、各種プログラムやデータを記憶しておく不揮発型の大容量記憶装置である。
【００３１】
ディスプレイ９１４は、構造上は図４，図５に示す表示画面１２Ｂを有し、その表示画面１２Ｂ上にＣＰＵ９１１の指示に応じた画像を表示する装置である。
【００３２】
位置検出＆埃検出回路９１５は、カメラ１５Ｂでの撮影画像を基にして、表示画面１２Ｂ上のタッチ位置の検出と表示画面１２Ｂ上に付着した埃の量の検出を担う回路である。
【００３３】
ＴＶ受像回路９１６は、図示しないアンテナで電波を受信して得た信号に基づいて、ディスプレイ９１４への表示用のＴＶ画像やスピーカ９１７から出力されるＴＶ音声の信号を生成する回路である。
【００３４】
デバイスインタフェース９１８は、図示しないキーボードやマウス等のデバイスと通信を行ない、それらのデバイスからの受信信号をＣＰＵ９１１に伝える役割りを担っている。
【００３５】
また、通信インタフェース９１９は、インタネット等の通信網と接続され、その接続された通信網を経由する信号の送受信を担っている。
【００３６】
再び図４〜図６を参照して第１実施形態の画像表示装置１０Ｂの構造についての説明を続行する。
【００３７】
この画像表示装置１０Ｂには、図７に示すコンピュータとしての機能を実現するための各種電子部品が搭載されており、それらの電子部品の中には、ＣＰＵ９１１など、動作に伴い発熱する発熱電子部品１６Ｂ(図５参照)が存在する。このため、この第１実施形態の画像表示装置１０Ｂにもその発熱電子部品１６Ｂを空冷するためのファン１３Ｂが搭載されている。また、図５に示すように、筐体１１Ｂの背面上部には吸気口１１２Ｂが設けられている。図５に示すように、この発熱電子部品１６Ｂには、放熱部材１７Ｂが当てがわれ、発熱電子部品１６Ｂから放熱部材１７Ｂに伝わった熱がファン１３Ｂにより送風されてきた空気に伝熱される。
【００３８】
この発熱電子部品１６Ｂは、動作速度可変であり動作速度に応じて発熱量が異なる。ファン１３Ｂも、これに対応して送風量の変更が自在となっている。このファンはさらに、発熱電子部品１６Ｂの冷却に必要な送風量を越える送風量まで送風量を増加させることができる。このファン１３Ｂの、発熱電子部品１６Ｂの冷却に必要な送風量を越える送風は、後述するように、表示画面１２Ｂの前面の埃の除去に利用される。
【００３９】
ファン１３Ｂが作動するとこの画像表示装置１０Ｂの外部の空気が吸気口１１２Ｂから吸い込まれて図５に示す矢印Ｘ１方向に流れ、ファン１３Ｂにより矢印Ｘ２方向に送風され、発熱電子部品１６Ｂの熱が放熱部材１７Ｂを介して送風された空気に伝熱される。
【００４０】
このようにして発熱電子部品１６Ｂの熱を受け取った空気は、以下に説明するダクト１８Ｂにより、表示画面１２Ｂの前面に導かれ、表示画面１２Ｂの下方から表示画面１２Ｂの前面に沿って、図４，図５に示す矢印Ｘ３方向に上昇する空気流に変換される。表示画面１２Ｂの前面に付着しそうな埃や一旦付着した埃は、この空気流により除去される。
【００４１】
図８は、図４〜図７に示す第１実施形態の画像表示装置で採用されているダクトの模式図である。
【００４２】
このダクト１８Ｂは、空気流入口１８１Ｂから空気流出口１８２Ｂに向けて徐々に幅が広がり、空気流出口１８２Ｂでは、表示画面１２Ｂの左右の全幅と同じ幅にまで広がっている。
【００４３】
ダクト１８Ｂの空気流入口１８１Ｂ側には、流入してきた空気を左右に広げることと、このダクト１８Ｂの補強のために、複数のガイド板１８３Ｂが立設しており、流入してきた空気はダクト１８Ｂ内で左右に広げられ、空気流出口１８２Ｂから左右全域にわたって均等な流出量で流出する。空気流出口１８２Ｂにも補強用の複数のリブ１８４Ｂが設けられている。
【００４４】
このダクト１８Ｂは、図５に示すように、筐体１１Ｂ内の、表示画面１２Ｂの背面側に搭載されたファン１３Ｂから送り出された空気が空気流入口１８１Ｂからこのダクト１８Ｂ内に流入し、その流入した空気を表示画面１２Ｂの下縁１２１Ｂを迂回させて表示画面１２Ｂの前面に沿って流出するように配置されている。
【００４５】
図９は、図４〜図８に示す第１実施形態の画像表示装置で実施される、表示画面前面の埃除去処理を示すフローチャートである。このフローチャートは本件における第１のファン制御部としての処理の一例に相当する。
【００４６】
図４〜図８に示す画像表示装置１０Ｂに電源が投入されると、その画像表示装置１０Ｂの各部を作動させるための準備処理が行なわれるとともに、この図８に示す処理が開始される。
【００４７】
ここでは先ず、カメラ１５Ｂ（図４参照）を埃の付着量検出用のセンサとして用いたときの、表示画面１２Ｂの前面の埃の付着量を表わすセンサ値を取得する（ステップＳ１１）。このセンサ値が示す埃の付着量が閾値を超えていたときは（ステップＳ１２）、ファン１３Ｂの送風量が発熱電子部品１６Ｂの冷却に必要な最大送風量を越える送風量まで増加され（ステップＳ１３）、これにより、表示画面１２Ｂの前面に付着している埃が除去される。ステップＳ１１で取得したセンサ値が示す埃の付着量が閾値以下のときは（ステップＳ１２）、ステップＳ１４に進み、ファン１３Ｂの送風量が発熱電子部品１６Ｂの冷却に必要な最大送風量を越えないように制限される。この場合、ファン１３Ｂは、その制限された送風量を上限とした、発熱電子部品１６Ｂの発熱量に応じた送風量を確保する速度で回転する。このように送風量が制限された場合であってもファン１３Ｂは回転し続けるため、表示画面１２Ｂへの埃の付着が抑えられる。
【００４８】
図４〜図８に示す第１実施形態の画像表示装置１０Ｂでは、図８に示すセンサ値の取得(ステップＳ１１）が定期的（例えば１分ごと）に行なわれ、図９に示す処理が実行される。
【００４９】
図１０は、第２実施形態の画像表示装置の正面図である。また図１１は、図１０と同じ第２実施形態の画像表示装置を側方から見て内部を透視したときの主要部品の配置状態を示した図である。さらに図１２は、図１０，図１１に示す第２実施形態の画像表示装置の、背面パネルとダクトを取り外して背面側から内部を示した図である。
【００５０】
ここでは、図４〜図８に示す第１実施形態の画像表示装置１０Ｂの各構成要素に対応する構成要素には、図４〜図８において付した符号の‘Ｂ’に代えて‘Ｃ’を付すことを除き同一の符号を付して示し、相違点のみ説明する。また、この第２実施形態の画像表示装置１０Ｃのコンピュータとしてのハードウェア構成は前掲の図７と同様であり、図示および説明は省略する。
【００５１】
この第２実施形態の画像表示装置１０Ｃの筐体１１Ｃには、背面下部に吸気口１１２Ｃが設けられ、背面上部に排気口１１３Ｃが設けられている。
【００５２】
ファン１３Ｃは、上方に向けて空気を送り出す姿勢に搭載されており、ファン１３Ｃが作動するとこの画像表示装置１０Ｃの外部の空気が吸気口１１２Ｃから吸い込まれて図１１に示す矢印Ｙ１方向に上昇しファン１３Ｃによりさらに上方（矢印Ｙ２方向）に送り出されて発熱電子部品１６Ｃの熱により温められる。この温められた空気は、上部に配置されたダクト１８Ｃを通って表示画面１２Ｃの上縁１２２Ｃを迂回して表示画面１２Ｃの上方から表示画面１２Ｃの前面に沿う方向（図１０，図１１に示す矢印Ｙ３方向）に流出する。このダクト１８Ｃは、第１実施形態の画像表示装置１０Ｂ（図４〜図７)のダクト１８Ｂとは配置姿勢が上下逆であるが、構造自体は、第１実施形態の画像表示装置１０Ｂのダクト１８Ｂと同様である。この図１０〜図１２に示す第２実施形態の画像表示装置１０Ｃに示すように、表示画面１２Ｃの前面に沿って空気流が吹きおろすように構成してもよい。
【００５３】
この第２実施形態の画像表示装置１０Ｃには、図１２に示すように、もう１つのファン１４Ｃも備えられている。このファン１４Ｃは、図１１に示す下部の吸気口１１２Ｃから吸い込まれた空気を上部の排気口１１３Ｃから排気することにより、そのファン１４Ｃ近傍の発熱電子部品（図示せず）を冷却する役割りを担っている。
【００５４】
図１３は、図１０〜図１２に示す第２実施形態の画像表示装置で実施される、表示画面前面の埃除去処理を示すフローチャートである。このフローチャートは、本件における第１のファン制御部としての処理の、もう１つの例に相当する。
【００５５】
図１０〜図１２に示す画像表示装置１０Ｃに電源が投入されると、その画像表示装置１０Ｃの各部を作動させるための準備処理が行なわれるとともに、この図１３に示す処理が開始される。
【００５６】
尚、この図１３に示す処理の開始に先立って、ファン１３Ｃは、その送風量が、発熱電子部品１６Ｃの冷却に必要な最大送風量が上限となるように制限され、発熱電子部品１６Ｃの発熱量に応じた送風量を確保する速度で回転しているものとする。
【００５７】
ここでは、図９の場合と同様、先ずカメラ１５Ｃ（図１０参照)を埃の付着量検出センサとして用いたときの、表示画面１２Ｃの前面の埃の付着量を表わすセンサ値が取得される(ステップＳ２１）。このセンサ値が示す埃の付着量が閾値を超えていなければ、ステップＳ２１に戻り、センサ値の定期的な(例えば１分ごと）取得が行なわれる。
【００５８】
ステップＳ２２で、埃の付着量が閾値を超えている旨判定されるとステップＳ２３に進み、ファン１３Ｃの送風量が発熱電子部品１６Ｃの冷却に必要な最大送風量を越える送風量まで増加される(ステップＳ２３）。これにより、表示画面１２Ｃの前面に付着している埃が除去される。
【００５９】
ステップＳ２３でファン１３Ｃの送付量が増加されるとタイマの計時が開始され（ステップＳ２４）、一定時間（例えば３分間）が経過すると(ステップＳ２５）、ファン１３Ｃの送風量が発熱電子部品１６Ｃの冷却に必要な最大送風量を越えないように制限される(ステップＳ２６）。
【００６０】
表示画面１２Ｃに強く付着した埃は送風を長時間続けても除去されないこともあり、したがって図１３に示すように、送風量を増加させた後タイマでの計時により送風量を制限するまでの時間を決めてもよい。
【００６１】
図１４は、第３実施形態の画像表示装置の正面図である。また図１５は、図１４と同じ第３実施形態の画像表示装置を上方から見て内部を透視したときの主要部品の配置状態を示した図である。さらに図１６は、図１４，図１５に示す第３実施形態の画像表示装置の、背面パネルとダクトを取り外して背面側から内部を示した図である。
【００６２】
ここでは、図４〜図８に示す第１実施形態の画像表示装置１０Ｂの各構成要素に対応する構成要素には、図４〜図８において付した符号の‘Ｂ’に代えて‘Ｄ’を付したことを除き同一の符号を付して示し、相違点のみ説明する。また、この第３実施形態の画像表示装置１０Ｄのコンピュータとしてのハードウェア構成は、図７に示す構成からカメラ１５Ｂと位置検出＆埃検出ユニット９１５を削除したものと同じであり、ここでの図示および説明は省略する。
【００６３】
この第３実施形態の画像表示装置１０Ｄの筐体１１Ｄには、背面に吸気口１１２Ｄが設けられている。
【００６４】
ファン１３Ｄは、側方に向けて空気を送り出す姿勢に搭載されており、吸気口１１２Ｄから吸い込まれ図１５に示す矢印Ｚ１方向に進んだ空気はファン１３Ｄにより側方に送り出され発熱電子部品１６Ｄの熱により温められてさらに矢印Ｚ２方向に進み、側部に配置されたダクト１８Ｄを通り表示画面１２Ｄの側縁１２３Ｄを迂回して表示画面１２Ｄの側方から表示画面１２Ｄの前面に沿って矢印Ｚ３（図１４，図１５参照）の方向に流出する。このダクト１８Ｄは、その基本構造は第１実施形態および第２実施形態の画像表示装置１０Ｂ，１０Ｃ（図４〜図８，図１０〜図１２)のダクト１８Ｂ，１８Ｃと同様であるが、表示画面１２Ｄの側縁１２３Ｄの長さ等に応じた寸法となっている。この図１４〜図１６に示す第３実施形態の画像表示装置１０Ｄに示すように、表示画面１２Ｄの前面に沿って横向きの空気流が形成されるように構成してもよい。
【００６５】
図１４〜図１６に示す第３実施形態の画像表示装置１０Ｄの、第１実施形態および第２実施形態の画像表示装置１０Ｂ，１０Ｃとの相違点は、表示画面１２Ｄの前面の空気流の向きのほか、図４に示すカメラ１５Ｂや図１０に示すカメラ１５Ｃに相当するカメラが備えられていない点である。
【００６６】
そこで、この第３実施形態の画像表示装置１０では、以下の処理により、表示画面１２Ｄの前面の埃除去が行なわれる。
【００６７】
図１７は、図１４〜図１６に示す第３実施形態の画像表示装置で実施される、表示画面前面の埃除去処理を示すフローチャートである。この図１７に示す処理における第１タイマは、本件にいうタイマの一例に相当し、この図１６に示す処理は、本件にいう第２のファン制御部での処理の一例に相当する。
【００６８】
図１４〜図１６に示す画像表示装置１０Ｄに電源が投入されると、その画像表示装置１０Ｄの各部を作動させるための準備処理が行なわれるとともに、この図１７に示す処理が開始される。
【００６９】
尚、この図１７に示す処理の開始に先立って、ファン１３Ｄは、その送風量が、発熱電子部品１６Ｄの冷却に必要な最大送風量を越えないように制限され、発熱電子部品１６Ｄの発熱量に応じた送風量が確保される速度で回転しているものとする。
【００７０】
ここでは、先ず第１タイマ（例えば５７分を計時するタイマ）による計時が開始され(ステップＳ３１）、その第１タイマがタイムアップすると(ステップＳ３２）、ファン１３Ｄの送風量が発熱電子部品１６Ｄの冷却に必要な最大送風量を越える送風量まで増加される(ステップＳ３３）。次いで第２タイマ（例えば３分間を計時するタイマ）による計時が開始され(ステップＳ３４）、その第２タイマがタイムアップすると(ステップＳ３３）、ファン１３Ｄの送風量が、発熱電子部品１６Ｄの冷却に必要な最大送風量以下となるように制限され(ステップＳ３６）、ファン１３Ｄは、発熱電子部品１６Ｄの発熱量に応じた送風量となるように、その回転速度が制御される。
【００７１】
ステップＳ３６でファン１３Ｄの送風量が制限されると、ステップＳ３１に戻り、再び第１タイマによる計時が開始される。
【００７２】
この図１６に示す処理によれば、表示画面１２Ｄの前面に埃が付着しているか否かに拘らず、一定時間ごと（例えば１時間ごと）に一定時間（例えば３分間）ファン１３Ｄの送風量が上昇し、表示画面１２Ｄの表面に埃が付着していたときにその埃が取り除かれる。
【００７３】
尚、第２実施形態の画像表示装置１０Ｂ，１０Ｃのようにカメラ１５Ｂ，１５Ｃを備えている装置であっても、そのカメラ１５Ｂ，１５Ｃを埃検出用センサとしては使用せずに、図１７に示すようにタイマによりファンの送風量を上下させてもよい。
【００７４】
また、上述した、第１〜第３実施形態のいずれも発熱電子部品の冷却用のファンを表示画面前面の埃の除去にも用いる構成であるが、表示画面前面の埃除去用に専用のファンを備えていてもよい。その専用のファンを設けた場合、図９，図１３，図１７と同様にファンの送風量を上下させてもよく、あるいは、ファンの作動をオン／オフしてもよい。
【符号の説明】
【００７５】
１０Ａ，１０Ｂ，１０Ｃ，１０Ｄ    画像表示装置
１１Ａ，１１Ｂ，１１Ｃ，１１Ｄ    筐体
１２Ａ，１２Ｂ，１２Ｃ，１２Ｄ    表示画面
１３Ａ，１３Ｂ，１３Ｃ，１３Ｄ，１４Ａ，１４Ｃ    ファン
１５Ａ，１５Ｂ，１５Ｃ，１５Ｄ    支持部材
１５Ｂ，１５Ｃ    カメラ
１６Ｂ，１６Ｃ，１６Ｄ    発熱電子部品
１７Ｂ，１７Ｃ，１７Ｄ    放熱部材
１８Ｂ，１８Ｃ，１８Ｄ    ダクト
１１１Ａ，１１１Ｂ，１１１Ｃ，１１１Ｄ    視認窓
１１２Ａ，１１２Ｂ，１１２Ｃ，１１２Ｄ    吸気口
１１３Ａ，１１３Ｃ    排気口
１８１Ｂ    空気流入口
１８２Ｂ    空気流出口
１８３Ｂ    ガイド板
１８４Ｂ    リブ
【図１】
2012123162.tif 000003
【図２】
2012123162.tif 000004
【図３】
2012123162.tif 000005
【図４】
2012123162.tif 000006
【図５】
2012123162.tif 000007
【図６】
2012123162.tif 000008
【図７】
2012123162.tif 000009
【図８】
2012123162.tif 000010
【図９】
2012123162.tif 000011
【図１０】
2012123162.tif 000012
【図１１】
2012123162.tif 000013
【図１２】
2012123162.tif 000014
【図１３】
2012123162.tif 000015
【図１４】
2012123162.tif 000016
【図１５】
2012123162.tif 000017
【図１６】
2012123162.tif 000018
【図１７】
2012123162.tif 000019